(57)【要約】      （修正有）【課題】近用アイポイントに対し、スムースに視点移動をすることができ、下側フレームが視界を遮ることがない遠・中及び近両用眼鏡の眼鏡フレームを提供する。【解決手段】眼鏡の下側フレームが、近用アイポイント６に対し、鼻側は、寸法ｄ１、耳側は、寸法ｄ２だけ切欠かれている。寸法ｄ１、およびｄ２は、１．５ｍｍから２５ミリ以下の範囲であり、切欠き端部７同士の間は、視界の邪魔にならない細い透明樹脂製の紐８で、下方より支えられている。【選択図】図１
0003196979.tif 000002
【実用新案登録請求の範囲】
【請求項１】
遠・中及び近両用眼鏡の眼鏡フレームにおいて、
眼鏡の下側フレームが、切欠かれており、近用アイポイントに対し、鼻側は、寸法ｄ１だけ切欠いており、耳側は、寸法ｄ２だけ切欠いてあり、寸法ｄ１、およびｄ２は、１．５ｍｍから２５ミリ以下の範囲であることを特徴とする遠・中及び近両用眼鏡の眼鏡フレーム。
【考案の詳細な説明】
【技術分野】
【０００１】  本考案は、遠・中及び近両用眼鏡の眼鏡フレームに関する。
【背景技術】
【０００２】  従来より、遠・中及び近両用眼鏡用レンズは、実用化されているが、遠方を見る遠・中用アイポイントと、手元を見る近用アイポイントとは、上下左右に位置がずれているため、使用者は、そのずれに慣れるまで時間が掛り、また、眼球だけを動かしてみるとダブって見えたりし、眼精疲労や頭痛やストレスの原因となっていた。【０００３】  特に、階段の上り下り時、近用アイポイントへの視点移動が十分に行えず、階段がよく見えず、転倒事故等を起こすことが見受けられていた。
【考案の概要】
【考案が解決しようとする課題】
【０００４】    本考案は、従来の遠・中及び近両用眼鏡の欠点であった、下方を見るときは、近用アイポイントへの視点移動が行われる必要があるが、慣れないためにスムースに行えず、階段の上り下り時、階段がはっきりと見えず、転倒事故等を起こすことが見受けられていた。
特に、下方を見るとき、眼鏡の下側フレームが視野に入ってきて、視界を妨げる悪影響が出ていた。
【課題を解決するための手段】
【０００５】  遠・中及び近両用眼鏡の眼鏡フレームにおいて、
眼鏡の下側フレームが、切欠かれており、近用アイポイントに対し、鼻側は、寸法ｄ１だけ切欠いており、耳側は、寸法ｄ２だけ切欠いてあり、寸法ｄ１、およびｄ２は、１．５ｍｍから２５ミリ以下の範囲であることを特徴とする遠・中及び近両用眼鏡の眼鏡フレームを提供する。
【考案の効果】
【０００６】（１）下方を見るときに、近用アイポイントへの視点移動が必要であるが、使用者は、近    用アイポイントの位置が分からず視点移動がスムースに行えないため、階段がはっき    りと見えないまま行動することとなり、そのため転倒事故等が起きていた。
（２）また使用者が慣れるまで時間を要するという問題点を有していた。
（３）加えて、図７に示す如く、眼鏡の下側フレームが視野に入ってきて、視界を妨げる悪影響が出ていた。
【図面の簡単な説明】
【０００７】
【図１】本考案の眼鏡フレーム２とレンズ３を示す正面図である。
【図２】本考案の眼鏡フレームとレンズを下方向から見た全体底面図である。
【図３】右目の眼球側から見た本考案の眼鏡フレームとレンズを示す詳細裏面図である。
【図４】眼鏡１で、近用アイポイント６を見たときの状態断面図である。
【図５】従来例の眼鏡フレーム２とレンズ３を示す正面図である。
【図６】従来例の眼鏡フレームとレンズを下方向から見た全体底面図である。
【図７】従来例の眼鏡で、近用アイポイント６を見たときの状態断面図である。
【考案を実施するための形態】
【０００８】  本考案は、これらの課題を解決するための画期的形態を提供する。
【０００９】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例】
【００１０】  以下、図面を参照しながら説明する。
図５は、従来例の眼鏡フレームとレンズを示す正面図である。
図６は、従来例の眼鏡フレームとレンズを下方向から見た全体底面図である。【００１１】  このように、従来の眼鏡フレームにおいては、フレームの下方枠が、レンズの下に設けられていた。
そのため、下方を見るときに、近用アイポイントへの視点移動が必要であるが、使用者は、近用アイポイントの位置が分からず視点移動がスムースに行えないため、階段がはっきりと見えないまま行動することとなり、そのため転倒事故や。また使用者が慣れるまで時間を要するという問題点を有していた。【００１２】  加えて、図７に示す如く、眼鏡の下側フレームが視野に入ってきて、視界を妨げる悪影響が出ていた。
そのため、下フレームがあるデザインは、危険性があり、安全上の問題となっていた。【００１３】  以下、本考案の実施例について、図面を参照しながら説明する。
図１は、本考案の眼鏡フレーム２とレンズ３を示す正面図である。
図２は、本考案の眼鏡フレームとレンズを下方向から見た全体底面図である。
図３は、右目の眼球側から見た本考案の眼鏡フレーム２とレンズ３を示す詳細裏面図である。【００１４】  レンズの原形３ａを眼鏡フレーム２に合わせてカットし、レンズ３を眼鏡フレーム２に対し配置する。
レンズ中心４に対し、遠景用アイポイント・中景用アイポイント５（以下遠・中用アイポイント５という）は、寸法ａだけ上方に位置しており、寸法ａは、通常０ｍｍ以上〜８ｍｍ以下となっている。【００１５】  次に近用アイポイント６は、遠・中用アイポイント５より、寸法ｂだけ鼻側に位置しており、寸法ｂは、通常０ｍｍ以上〜５ｍｍ以下となっている。
また、近用アイポイント６は、遠・中用アイポイント５より、寸法Ｃだけ下方に位置しており、寸法Ｃは、通常０ｍｍ以上〜２５ｍｍ以下となっている。【００１６】  本考案の大きな利点となっているのは、図３に示す如く、眼鏡の下側フレームが、切欠かれており、近用アイポイントに対し、鼻側は、寸法ｄ１だけ切欠いており、耳側は、寸法ｄ２だけ切欠いてある。
寸法ｄ１、およびｄ２は、本考案においては、１．５ｍｍから２５ミリ以下の範囲で切欠いてある。従って、切欠き端部７同士は、合計、３ｍｍから５０ミリ以下の範囲で切欠いてある。寸法ｄ１と寸法ｄ２は、この範囲で異なる数値を採用してもよい。
従って、切欠き端部７同士の間は、眼鏡フレームは切欠かれている。【００１７】  また、切欠き端部７同士の間は、一般にナイロールといわれている透明樹脂製の紐８で、下方より支えてありナイロールの紐８は、それぞれ紐固定部９に取付けられている。【００１８】  図４は、眼鏡１で、近用アイポイント６を見たときの状態断面図である。
この場合に、視界には、ナイロールの紐８が入ってくるだけで眼鏡フレーム２は、切欠かれているので、視界を遮ることがないのである。ナイロールの紐８は、細く透明なため、視界の邪魔にならない。そのため、階段等の下方の状態がはっきりと視認することができる。【００１９】  このような構成により、通常は遠・中用アイポイント５を見ていた視点は、下方を見るときに、眼鏡フレームの切欠かれている切欠き端部７同士の間に導かれて、容易に近用アイポイント６へと視点移動することができるため、極めて短時間で、慣れることができ、転倒事故や、視界制限をなくすことができる画期的効果を発揮するものである。
また、ナイロールの紐８を透明着色して更に効果を発揮することもできる。【００２０】  前述の図４に示す如く眼鏡フレーム２は、切欠かれているので、視界を遮ることがない効果を有するものである。【００２１】  眼鏡フレーム２をこのような構造とすることにより、意匠的な、デザイン効果も発揮することができ、使用者の好みを反映することができる。
【産業上の利用可能性】
【００２２】    本考案の活用例としては、以上説明したように、遠・中及び近両用眼鏡の眼鏡フレームのフレームを切欠くことより、階段等での転倒事故を防止できる極めて画期的な効果による安全性と、新規な需要開拓による経済効果を発揮し日本の産業活性化に貢献する。
【符号の説明】
【００２３】１  眼鏡
２  眼鏡フレーム
３  レンズ
３ａ  レンズ原形
４  レンズ中心
５  遠・中用アイポイント
６  近用アイポイント
７  切欠き端部
８  ナイロールの紐
９  紐固定部
【図１】
0003196979.tif 000003
【図２】
0003196979.tif 000004
【図３】
0003196979.tif 000005
【図４】
0003196979.tif 000006
【図５】
0003196979.tif 000007
【図６】
0003196979.tif 000008
【図７】
0003196979.tif 000009